(57)【特許請求の範囲】
【請求項１】
地下開削構築物の造築に際し施工される遮水壁によって遮断された地下水流の保全のために、遮水壁が地下水流を遮断している部分に任意の時期に通水孔を形成するため遮水壁の杭芯材として設けられた通水孔形成装置であって、
前記通水孔形成装置は、地上から加圧溶液を供給する加圧パイプに連結された圧力室と、前記圧力室の両側面に一つまたは複数設けられ外部に開口した通水シリンダーと、該通水シリンダーに摺動自在に嵌挿されたピストン部とから構成され、
前記ピストン部は、圧力室の加圧溶液の圧力により前記通水シリンダー内を外部に向かって摺動するピストン本体と、加圧パイプ内部に挿通された電線が接続され電圧の印加によりアノード溶解される先端電食部とを備えることを特徴とする遮水壁の地下水流保全通水孔形成に用いる通水孔形成装置。
【請求項２】
地下開削構築物の造築に際し施工される遮水壁によって遮断された地下水流の保全のために、地下水流を遮断している遮水壁に任意の時期に通水孔を形成するため、前記遮水壁が地下水流を遮断する深度に位置するように上下の杭芯材に連結して配設された通水孔形成装置であって、
前記通水孔形成装置は、地上から加圧溶液を供給する加圧パイプに連結された圧力室と、前記圧力室の側面に一つまたは複数設けられた外部に開口した通水シリンダーと、該通水シリンダーに摺動自在に嵌挿されたピストン部とから構成され、
前記ピストン部は、圧力室の加圧溶液の圧力により前記通水シリンダー内を外部に向かって摺動するピストン本体と、加圧パイプ内部に挿通された電線が接続され電圧の印加によりアノード溶解される先端電食部とを備えることを特徴とする遮水壁の地下水流保全通水孔形成に用いる通水孔形成装置。
【請求項３】
前記圧力室が複数連結され、圧力室の上下の隣接隔壁に隔壁と絶縁され、電極に接続された電食隔壁を備え、任意の時期に電食隔壁に電圧を印加してアノード溶解して上下の圧力室間を通水可能に開放することを特徴とする請求項２記載の遮水壁の地下水流保全通水孔形成に用いる通水孔形成装置。
【請求項４】
前記通水シリンダーは、前記ピストン部が所定量押し出されたとき、摺動を停止させる摺動ロック機構を備え、加圧溶液が他のピストン部を押し出すようにすると共に、外部地圧の押し戻しを防止することを特徴とする請求項１、２または３のいずれかに記載の遮水壁の地下水流保全通水孔形成に用いる通水孔形成装置。
【請求項５】
前記ピストン部のピストン本体は、杭芯材の周囲のソイルモルタル層を貫通する長さに形成され、先端電食部はソイルモルタル層を押し分ける錐形に形成されていることを特徴とする請求項１、２、３又は４のいずれかに記載の遮水壁の地下水流保全通水孔形成に用いる通水孔形成装置。
【請求項６】
前記圧力室は、通水孔が形成された時、地下水流の有害物質を濾過するフィルター材が充填されることを特徴とする請求項１、２、３、４または５のいずれかに記載の遮水壁の地下水流保全通水孔形成に用いる通水孔形成装置。
【請求項７】
地下開削構築物の造築に際し施工される遮水壁によって遮断された地下水流の保全のために、遮水壁が地下水流を遮断している部分に任意の時期に通水孔を形成するため請求項１、２のいずれかに記載の通水孔形成装置を用いた通水孔形成方法であって、
遮水壁に杭芯材と共に通水孔形成装置を立て込み、ソイルモルタルを充填し、そのソイルモルタルが硬化途中で、地上の加圧溶液供給装置から前記加圧パイプを介して加圧溶液を圧力室に充填し、前記ピストン部を圧力室の外部に押し出し周囲のソイルモルタルを排除し、その後、任意の時期に前記加圧パイプを介して電解質溶液を圧力室に充填し、直流電源の負極を前記杭芯材に、正極を前記先端電食部に接続し、電圧を印加することにより、前記先端電食部分の金属をアノード溶解させて通水孔を形成することを特徴とする通水孔形成方法。
【請求項８】
地下開削構築物の造築に際し施工される遮水壁によって遮断された地下水流の保全のために、遮水壁が地下水流を遮断している部分に任意の時期に通水孔を形成するため遮水壁の杭芯材として設けられ、又は、上下の杭芯材に連結して配設され、地上から加圧溶液を供給する加圧パイプに連結された圧力室と、前記圧力室の両側面に一つまたは複数設けられ外部に開口した通水シリンダーと、該通水シリンダーに摺動自在に嵌挿されたピストン部とから構成され、前記ピストン部は、圧力室の加圧溶液の圧力により前記通水シリンダー内を外部に向かって摺動するピストン本体と、加圧パイプ内部に挿通された電線が接続され電圧の印加によりアノード溶解される先端電食部とを備える通水孔形成装置を用いた通水孔形成方法であって、
遮水壁に杭芯材と共に通水孔形成装置を立て込み、ソイルモルタルを充填し、そのソイルモルタルが硬化途中で、地上の加圧溶液供給装置から前記加圧パイプを介して加圧溶液を圧力室に充填し、前記ピストン部を圧力室の外部に押し出し周囲のソイルモルタルを排除し、その後、任意の時期に前記加圧パイプを介して電解質溶液を圧力室に充填し、直流電源の負極を前記杭芯材に、正極を前記先端電食部に接続し、電圧を印加することにより、前記先端電食部分の金属をアノード溶解させて通水孔を形成し、その後、任意の時期に電食隔壁に正極の電圧を印加してアノード溶解して上下の圧力室間を通水可能に開放することをすることを特徴とする通水孔形成方法。
【発明の詳細な説明】
【０００１】
【発明の属する技術分野】
本発明は、土木または建築構造物の地下部分を施工するための遮水壁によって遮断される地下水流の通水保全技術に関し、詳しくは、遮水壁の地下水流保全通水孔形成に用いる通水孔形成装置及びその方法に関する。
【０００２】
【従来の技術】
地下鉄や地下道路など線状の地下構築物を造築する場合、大深度の遮水壁を連続して施工した場合、地域の自由な地下水流を遮断することがある。図６は、遮水壁１００ａ、１００ｂにより地下水流が遮断される状態を示す模式図である。ここで遮水壁１００ａ、１００ｂは掘削底面地盤を安定させるため床付け１０７よりも深く、透水層１０５ａ，１０５ｂを貫通して不透水層１０６ｂまでの長い根入れ１０８とされている。このため地下水流１６０ａ，１６０ｂは上流側の遮水壁１００ｂに遮られる。
【０００３】
遮水壁１００ａ、ｂによって地下水流１６０ａ、ｂが遮られることにより、下流側の地表１５０ａは地下水位の低下に伴う地盤沈下をおこす。また地下水位の低下により立木１３０ａの立枯れ、井戸１２０の井戸枯れが発生する。さらに、建物などの構造物１１０ａの沈下などの影響がでる。
【０００４】
遮水壁１００ｂの上流側では、地下水流が堰き止められることにより、水位の上昇をきたし、上流側地表１５０ｂの地盤湿潤化により立木１３０ｂに根腐れの障害を起こしたり、構造物１１０ｂの地下部分の漏水などが発生することがある。また、地下水流の循環がなくなるため地下水そのものの水質が低下することもある。このような周辺環境への影響が施工中から現れる。
【０００５】
また、遮水壁１００ａ、ｂは、床付け１０７がその下部の地下水の影響で地下構造物が浮き上がる浮上現象が起きないよう、床付け１０７より深い部分の透水層１０５ｂを貫通して不透水層１０６ｂまで根入されている。このため、構造物の造築のため開削される床付け１０７より深い地下水流１６０ｂも遮断される。
【０００６】
前述の問題を解決するため、地下構築物の完成後に構築物の上部の遮水壁を撤去する方法で構築物の上部の地下水流を復旧する方法。
遮水壁の開削部の壁面を削孔し上流側の透水層地盤に集水パイプを挿入し下流側の透水層地盤に挿入した排水パイプと連結して地下水流を復旧させる方法。
遮水壁の開削部の両側に集排水井戸を掘り上流側の井戸と下流側の井戸を地中で連結して地下水流を復旧させる方法が知られている。
しかし、これらの地下水流動保全工法では、開削された床付け１０７の上部の地下水流１６０ａを復旧させることはできるが床付け１０７より深い部分の地下水流１６０ｂの復旧はできない問題があった。
【０００７】
また、施工後の井戸の目詰まりなどのメンテナンスに費用がかかる問題があった。
【０００８】
発明者は前述の問題解決のため、任意の時期に通水孔を形成する地下水流保全機能を有する山留め壁とその施工方法を特願２０００−２０５４５６で提案した。しかし、強度を必要とする杭芯材本体をアノード溶解して破壊するために時間がかかり、さらに杭芯材を囲む固化ソイルモルタルを破砕する必要があり、確実な通水孔形成が困難である問題があった。
【０００９】
【発明が解決しようとする課題】
本発明は、前述の問題に鑑みてなされたものであり、地下開削構築物の造築に際し施工されるソイルモルタル遮水壁によって遮断された地下水流の保全のために、地下水流を遮断している遮水壁部分に任意の時期に通水孔を形成するための通水孔形成装置及び通水孔形成方法の提供を課題とする。
【００１０】
特に、ソイルモルタル遮水壁の任意の深度に通水孔を形成することが容易に、経済的にできる通水孔形成装置を提供する。
【００１１】
また、通水孔形成後、地下水流の有害物質を浄化可能な通水孔形成装置を提供する。
【００１２】
【課題を解決するための手段】
前記課題を解決するため、請求項１の遮水壁の地下水流保全通水孔形成に用いる通水孔形成装置は、地下開削構築物の造築に際し施工される遮水壁によって遮断された地下水流の保全のために、遮水壁が地下水流を遮断している部分に任意の時期に通水孔を形成するため遮水壁の杭芯材として設けられた通水孔形成装置であって、
前記通水孔形成装置は、地上から加圧溶液を供給する加圧パイプに連結された圧力室と、前記圧力室の両側面に一つまたは複数設けられ外部に開口した通水シリンダーと、該通水シリンダーに摺動自在に嵌挿されたピストン部とから構成され、
前記ピストン部は、圧力室の加圧溶液の圧力により前記通水シリンダー内を外部に向かって摺動するピストン本体と、加圧パイプ内部に挿通された電線が接続され電圧の印加によりアノード溶解される先端電食部とを備えることを特徴とする。
【００１３】
請求項２の遮水壁の地下水流保全通水孔形成に用いる通水孔形成装置は、地下開削構築物の造築に際し施工される遮水壁によって遮断された地下水流の保全のために、地下水流を遮断している遮水壁に任意の時期に通水孔を形成するため、前記遮水壁が地下水流を遮断する深度に位置するように上下の杭芯材に連結して配設された通水孔形成装置であって、
前記通水孔形成装置は、地上から加圧溶液を供給する加圧パイプに連結された圧力室と、前記圧力室の側面に一つまたは複数設けられた外部に開口した通水シリンダーと、該通水シリンダーに摺動自在に嵌挿されたピストン部とから構成され、
前記ピストン部は、圧力室の加圧溶液の圧力により前記通水シリンダー内を外部に向かって摺動するピストン本体と、加圧パイプ内部に挿通された電線が接続され電圧の印加によりアノード溶解される先端電食部とを備えることを特徴とする。
【００１４】
請求項３の発明は、請求項２記載の発明であって、前記圧力室が複数連結され、圧力室の上下の隣接隔壁に隔壁と絶縁され、電極に接続された電食隔壁を備え、任意の時期に電食隔壁に電圧を印加してアノード溶解して上下の圧力室間を通水可能に開放することを特徴とする。
【００１５】
請求項４の発明は、請求項１、２または３記載の発明であって、前記通水シリンダーは、前記ピストン部が所定量押し出されたとき、摺動を停止させる摺動ロック機構を備え、加圧溶液が他のピストン部を押し出すようにすると共に、外部地圧の押し戻しを防止することを特徴とする。
【００１６】
請求項５の発明は、請求項１、２、３又は４記載の発明であって、前記ピストン部のピストン本体は、杭芯材の周囲のソイルモルタル層を貫通する長さに形成され、先端電食部はソイルモルタル層を押し分ける錐形に形成されていることを特徴とする
【００１７】
請求項６の発明は、請求項１、２、３、４または５記載の発明であって、前記圧力室は、通水孔が形成された時、地下水流の有害物質を濾過するフィルター材が充填されることを特徴とする。
【００１８】
請求項７の発明は、地下開削構築物の造築に際し施工される遮水壁によって遮断された地下水流の保全のために、遮水壁が地下水流を遮断している部分に任意の時期に通水孔を形成するため請求項１、２のいずれかに記載の通水孔形成装置を用いた通水孔形成方法であって、
遮水壁に杭芯材と共に通水孔形成装置を立て込み、ソイルモルタルを充填し、そのソイルモルタルが硬化途中で、地上の加圧溶液供給装置から前記加圧パイプを介して加圧溶液を圧力室に充填し、前記ピストン部を圧力室の外部に押し出し周囲のソイルモルタルを排除し、その後、任意の時期に前記加圧パイプを介して電解質溶液を圧力室に充填し、直流電源の負極を前記杭芯材に、正極を前記先端電食部に接続し、電圧を印加することにより、前記先端電食部分の金属をアノード溶解させて通水孔を形成することを特徴とする。
【００１９】
請求項８の発明は、通水孔形成方法の発明であって、地下開削構築物の造築に際し施工される遮水壁によって遮断された地下水流の保全のために、遮水壁が地下水流を遮断している部分に任意の時期に通水孔を形成するため遮水壁の杭芯材として設けられ、又は、上下の杭芯材に連結して配設され、地上から加圧溶液を供給する加圧パイプに連結された圧力室と、前記圧力室の両側面に一つまたは複数設けられ外部に開口した通水シリンダーと、該通水シリンダーに摺動自在に嵌挿されたピストン部とから構成され、前記ピストン部は、圧力室の加圧溶液の圧力により前記通水シリンダー内を外部に向かって摺動するピストン本体と、加圧パイプ内部に挿通された電線が接続され電圧の印加によりアノード溶解される先端電食部とを備える通水孔形成装置を用いた通水孔形成方法であって、
遮水壁に杭芯材と共に通水孔形成装置を立て込み、ソイルモルタルを充填し、そのソイルモルタルが硬化途中で、地上の加圧溶液供給装置から前記加圧パイプを介して加圧溶液を圧力室に充填し、前記ピストン部を圧力室の外部に押し出し周囲のソイルモルタルを排除し、その後、任意の時期に前記加圧パイプを介して電解質溶液を圧力室に充填し、直流電源の負極を前記杭芯材に、正極を前記先端電食部に接続し、電圧を印加することにより、前記先端電食部分の金属をアノード溶解させて通水孔を形成し、その後、任意の時期に電食隔壁に正極の電圧を印加してアノード溶解して上下の圧力室間を通水可能に開放することをすることを特徴とする。
【００２０】
【発明の実施の形態】
以下、本発明の実施の形態を図に基づいて説明する。図１は本発明の第１の実施の形態の通水孔形成装置の構成を示し、（ａ）は正面図、（ｂ）は断面図である。
【００２１】
図１（ａ）に示す通水孔形成装置１０は、杭芯鋼管２０が、その上部の密閉蓋２１と、底部に設けた底板２９により密閉され、杭芯鋼管２０内部が圧力室２４を形成し、前記密閉蓋２１にバルブ３ｂを介して加圧パイプ３ａが連結された構造からなり、前記圧力室２４の両側面に外部に開口した通水シリンダー２２とその通水シリンダー２２に摺動自在に嵌挿されたピストン部２３を備える。
【００２２】
前記密閉蓋２１は、電極電線１３の接続端子２１ａを備え、密閉ボルト２１ｂで杭芯鋼管２０に着脱自在に固定されている。また、前記加圧パイプ３ａは、後述する加圧溶液供給装置３に連結し、加圧水または食塩水などの電解質溶液２を杭芯鋼管２０内部に充填し圧力室２４を加圧する。
【００２３】
図１（ｂ）は、（ａ）の側面断面を示す。前記圧力室２４内部には、通水孔完成後に地下水流を浄化するフィルターを充填するための内部隔壁２７，２７を備える。
【００２４】
図示するように、ピストン部２３は、ピストン先端が突出した形状に形成され通水シリンダー２２内部に嵌挿されて遮水壁に立て込まれ、周囲にソイルセメントが流し込まれる。
【００２５】
次に、図２を用いて、前記通水シリンダー２２とピストン部２３の構造を説明する。図２（ａ）は図１（ｂ）のＡ−Ａ断面を示す。（ｂ）は前記加圧パイプ３ａから加圧水が供給され圧力室２４の加圧水がピストン部２３を押し出し、通水シリンダー２２から外部に摺動して突出した状態を示す。
【００２６】
図２（ａ）に示すように、ピストン部２３は、通水シリンダー２２に密接して摺動自在なピストン本体２３ａと、その先端に絶縁材２３ｂを介して設けられた先端電食部２３ｃとから構成され、加圧室２４側が開口し、先端方向に圧力を受ける密閉構造となっている。
【００２７】
前記先端電食部２３ｃには、電極端子２３ｄを備え、電極電線１３とピストン部の摺動に合わせて伸縮する伸縮電線１３ａを介して接続されている。
【００２８】
図２（ｂ）は、ピストン部２３が矢印に示す加圧水の圧力により通水シリンダー２２から外部に摺動して突出した状態を示す。このとき、摺動ロック機構２５により予め設定した一定の摺動位置で固定される状態を示す。図２（ｃ）は、摺動ロック機構２５の詳細を示し、ピストン本体２３ａに設けられたピストンロック孔２５ｄと通水シリンダー２２に設けられたシリンダーロック孔２５ｅが同じ位置にくるようにピストン本体２３ａが動作した時バネ係止金物２５ｃで附勢されたバネ２５ｂによりロックピン２５ａがピストンロック孔２５ｄ内に挿入されて固定する。
【００２９】
次に、本発明の第２の実施の形態を図３に基づき詳細に説明する。図３（ａ）は第２の実施の形態の通水孔形成装置１０Ａの平面図である。この実施の形態では、矩形の通水孔筐体２０Ａの両側面に杭芯材連結部２６を備え、ソイルモルタル遮水壁１００（図５）の杭芯材として一般的に使用されるＨ形鋼４０（図５）に連結して地中の透水層に埋設できる構造となっている。３ａは加圧パイプを示す。
【００３０】
図３（ｂ）は、図３（ａ）のＢ−Ｂ断面を示す。通水孔筐体２０Ａは、隣接隔壁２８で上下二つの圧力室２４ａ，２４ｂに仕切られ、それぞれの圧力室２４ａ、２４ｂは、反対側壁に開口した通水シリンダー２２を備える。通水シリンダー２２内には第１の実施の形態で説明したピストン部２３が嵌挿されている。
【００３１】
隣接隔壁２８には、絶縁材２８ｂを介して電食隔壁２８ａを備える。電食隔壁２８ａには、電極電線１３ｃが接続されている。
【００３２】
圧力室２４ａ、２４ｂには、それぞれ加圧パイプ３ａが接続され、加圧パイプ３ａ内には、電極電線１３が挿通されて、ピストン部２３の先端電食部２３ｃに設けられた電極端子２３ｄに接続されている。
【００３３】
この実施の形態では、隣接隔壁２８で仕切られた圧力室２４ａ、２４ｂにそれぞれ一つの通水シリンダー２２を設けたが、通水シリンダー２２を複数設けても良い。また、隣接隔壁２８で仕切られた圧力室２４ａ、２４ｂは側面に隣り合っても良い。さらに、通水孔形成装置１０Ａは、Ｈ形鋼などの遮水壁杭芯材が地中で透水層を遮断する深度に複数配置して設けることができる。
【００３４】
次に、本発明の通水孔形成装置１０Ａを用いた通水孔の形成過程を示す図４にしたがって説明する。説明中の符号は図１から３又は図５の詳細な図面による。まず、
▲１▼遮水壁設置個所を掘削する。
▲２▼本発明の通水孔形成装置１０Ａを備えた杭芯材を掘削孔に立て込む。
▲３▼杭芯材周囲にソイルモルタル４５を流し込む。
▲４▼ソイルモルタル４５の硬化途中で、地上の加圧溶液供給装置３を稼働させ、加圧パイプ３ａを通じて圧力室２４に電解質溶液２の加圧水を供給する。圧力室の水圧によりピストン部２３が通水シリンダー２２内を摺動し、外部のソイルモルタル４５を押分け地山透水層まで突出する。
▲５▼地上の直流電源５から杭芯材に負極を、電解質溶液２が満たされたピストン部２３の先端電食部２３ｃに正極の電圧を印加し、先端電食部２３ｃをアノード溶解して破壊する。ここで、ピストン部２３の先端が開口され地山透水層と圧力室が通水可能に形成される。
▲６▼地下水流の復旧時期に、地上の直流電源から、隣接隔壁の隔壁電食部に陽極電圧を印加し、隔壁電食部をアノード溶解する。
▲７▼加圧パイプ３ａを介して電解質溶液２を回収し、圧力室内に地下水浄化作用を有するフィルター材を充填する。
▲８▼地山透水層から下流地山透水層への地下水流路が形成されて、地下水流が保全される。
【００３５】
図５は、本発明の通水孔形成装置１０Ａを配置した遮水壁１００の断面模式図である。図において、５は地上１５０に配置された直流電源装置、３は加圧溶液供給装置である。掘削孔５０に立て込まれたＨ形鋼４０の杭芯材には、透水層１０５ａ、１０５ｂに接する深度に本発明の通水孔形成装置１０Ａが連結して設けられている。杭芯材の周囲にはソイルモルタル４５が充填されており、前記▲４▼工程でソイルモルタルを押し分けて突出したピストン部２３が透水層地山に達し、前記▲５▼工程で先端を塞いでいた先端電食部２３ｃがアノード溶解されて破壊された状態を示す。
【００３６】
以上の実施の形態では、杭芯鋼管２０、通水孔筐体２０Ａが矩形形状で説明したが、中空で、圧力室を形成できるものであれば、形状は円形でも多角形でも良い。また、通水シリンダー、ピストン部も円筒形状で説明したが、ピストン部が摺動自在であれば形状にはこだわらない。
【００３７】
【発明の効果】
本発明の遮水壁の地下水流保全通水孔形成に用いる通水孔形成装置によれば、地下構築物の造築後に、透水層に設けられた遮水壁に容易に且つ経済的に通水孔を形成することができる。特に、遮水壁の任意の深度、位置に通水孔を形成することができる。
【００３８】
また、ソイルモルタルの硬化途中で透水層地山までの通水孔を形成できるため、確実な地下水流保全を行なうことができる。
【００３９】
また、請求項２の発明によれば、予め外部との通水流路を形成しておき、任意の時期に隣接隔壁をアノード溶解して貫通させることにより、さらに確実な地下水流の復旧コントロールを行なうことができる。
【００４０】
さらに、通水孔内部に浄水フィルターを配設することができるため、地下水流の復旧と共に、水質浄化を行なうことができる。
【図面の簡単な説明】
【図１】本発明の第一の実施の形態の通水孔形成装置の構成を示し、（ａ）は正面図、（ｂ）は断面図である。
【図２】（ａ）は図１（ｂ）のＡ−Ａ断面を示す断面図、（ｂ）はピストン部が突出した状態を示す図、（ｃ）は摺動ロック機構の詳細を示す拡大図である。
【図３】本発明の第２の実施形態の通水孔形成装置の構成を示し、（ａ）は平面図、（ｂ）は（ａ）のＢ−Ｂ断面図である。
【図４】本発明の通水孔形成装置を用いた通水孔の形成過程を示す図である。
【図５】本発明の通水孔形成装置を配置した遮水壁の断面模式図である。
【図６】遮水壁により地下水流が遮断される状態を示す模式図である。
【符号の説明】
１        通水孔
１ａ      通水孔形成個所
２        電解質溶液
３        加圧溶液供給装置
３ａ      加圧パイプ
３ｂ      バルブ
５        直流電源
１０、１０Ａ    通水孔形成装置
１３        電極電線
１３ａ      伸縮電線
２０        杭芯鋼管
２０Ａ      通水孔筐体
２１        密閉蓋
２１ａ      接続端子
２１ｂ      密閉ボルト
２２        通水シリンダー
２２        先端電食部
２２ａ      パイプ接続孔
２２ｂ      電線接続端子
２２ｃ      底板
２２ｄ      絶縁材
２２ｅ      電極板
２３        ピストン部
２３ａ      ピストン本体
２３ｂ      絶縁材
２３ｃ      先端電食部
２３ｄ      電極端子
２４、２４ａ、２４ｂ    圧力室
２５        摺動ロック機構
２５ａ      ロックピン
２５ｂ      バネ
２５ｃ      バネ係止金物
２５ｄ      ピストンロック孔
２５ｅ      シリンダーロック孔
２６        杭芯材連結部
２７        内部隔壁
２８        隣接隔壁
２８ａ      電食隔壁
２８ｂ      絶縁材
２９        底板
３０        通水パイプ
４０        Ｈ形鋼
４５        ソイルモルタル
１００、１００ａ、１００ｂ        遮水壁、ソイルモルタル遮水壁
１０５，１０５ａ、１０５ｂ        透水層
１０６，１０６ａ，１０６ｂ        不透水層
１６０ａ、１６０ｂ                地下水流
１０７                            床付け
１０８                            根入れ
１１０，１１０ａ，１１０ｂ        構造物
１３０，１３０ａ，１３０ｂ        立木
１５０、１５０ａ、１５０ｂ        地表、地上部
【図１】
0003684394.tif 000002
【図２】
0003684394.tif 000003
【図３】
0003684394.tif 000004
【図４】
0003684394.tif 000005
【図５】
0003684394.tif 000006
【図６】
0003684394.tif 000007